(57)【要約】【課題】撮影装置において、撮影用の照明光による画像の不自然さを容易に低減することができるようにする。【解決手段】カメラ１は、被写体を撮影する撮影レンズ部３、撮像素子と、キセノン管４ａを有し、照明光Ｌ４を形成する放電光源部４と、ＬＥＤを有し、照明光Ｌ４と色温度が異なる照明光等を形成するＬＥＤ光源部５Ａ等と、被写体の種類情報、位置情報、および色情報のうち少なくとも一つを被写体情報として取得する被写体情報取得部と、この被写体情報取得部によって取得された被写体情報に基づいて、放電光源部４およびＬＥＤ光源部５Ａ等の発光制御パラメータを生成する発光制御パラメータ生成部と、を備える。【選択図】図１
2014219602.tif 000002
【特許請求の範囲】
【請求項１】
被写体を撮影する撮影部と、
放電により発光し、第１の照明光を形成する放電光源部と、
ＬＥＤを有し、前記第１の照明光と色温度が異なる第２の照明光を形成するＬＥＤ光源部と、
前記被写体の種類情報、位置情報、および色情報のうち少なくとも一つを被写体情報として取得する被写体情報取得部と、
該被写体情報取得部によって取得された前記被写体情報に基づいて、前記放電光源部および前記ＬＥＤ光源部の発光制御パラメータを生成する発光制御パラメータ生成部と、
を備える、撮影装置。
【請求項２】
前記発光制御パラメータ生成部によって生成された前記発光制御パラメータに基づいて、前記放電光源部および前記ＬＥＤ光源部の発光動作制御を行う発光制御部を備える
ことを特徴とする、請求項１に記載の撮影装置。
【請求項３】
前記発光制御パラメータ生成部によって生成された前記発光制御パラメータに基づく発光設定を表示する発光設定表示部を備える
ことを特徴とする、請求項１または２に記載の撮影装置。
【請求項４】
前記被写体情報取得部は、
前記被写体の種類情報として、前記撮影部が取得する画像から検出を行って人物の有無に関する情報を取得する
ことを特徴とする、請求項１〜３のいずれか１項に記載の撮影装置。
【請求項５】
前記被写体情報取得部は、
前記被写体の位置情報として、合焦した被写体までの距離である撮影距離を取得する
ことを特徴とする、請求項１〜４のいずれか１項に記載の撮影装置。
【請求項６】
前記被写体情報取得部は、
前記被写体の色情報として、前記撮影部が取得する画像から合焦位置の被写体の色情報を取得する
ことを特徴とする、請求項１〜５のいずれか１項に記載の撮影装置。
【請求項７】
前記被写体情報取得部は、
前記被写体の色情報として、前記撮影部が取得する画像から撮影範囲の全体の色情報を取得する
ことを特徴とする、請求項１〜６のいずれか１項に記載の撮影装置。
【請求項８】
前記ＬＥＤ光源部は、複数設けられており、
複数の前記ＬＥＤ光源部は、前記撮影部の光軸を間に挟んで互いに離間する位置に設けられた
ことを特徴とする、請求項１〜７のいずれか１項に記載の撮影装置。
【請求項９】
前記放電光源部および前記ＬＥＤ光源部は、
互いの照射光軸の方向が相対的に変更可能である
ことを特徴とする、請求項１〜８のいずれか１項に記載の撮影装置。
【請求項１０】
前記ＬＥＤ光源部は、
色温度が異なる複数種類のＬＥＤを備え、
複数の該ＬＥＤは、互いに独立に発光制御可能である
ことを特徴とする、請求項１〜９のいずれか１項に記載の撮影装置。
【請求項１１】
前記ＬＥＤ光源部は、
前記撮影部を有する撮影装置本体に着脱可能に設けられた
ことを特徴とする、請求項１〜１０のいずれか１項に記載の撮影装置。
【発明の詳細な説明】
【技術分野】
【０００１】
本発明は撮影装置に関する。
【背景技術】
【０００２】
従来、例えば、カメラ、ビデオ等の撮影装置は、例えば、曇天、夜間、逆光などの撮影条件によって被写体に対する照明が不十分となり、適正露出が得られない場合に、ストロボや補助ライト等の撮影装置を用いて被写体を照明することが行われている。このような撮影装置は、撮影装置に内蔵されていたり、一体に取り付けられていたりすることが多い。
しかし、このような従来の撮影装置の光源は、フィルム感度に応じて最適のホワイトバランスが得られるように色温度が設定されて来た経緯から、色温度の種類が限られている。例えば、写真撮影用として最も普及しているのは、キセノン管を用いたストロボ光源であり、その色温度は、自然昼光に近い約５４００Ｋである。しかし、その波長強度分布は、自然昼光に比べて赤色領域の相対強度が低いため、自然昼光の温かみに欠ける照明になる。特に、撮像素子を用いたデジタルカメラ等による撮影では、波長強度分布に忠実に撮像されると、赤色領域の光量低下の影響がより顕著に現れる。
キセノン管と異なる色温度の照明が可能な光源としては、白色ＬＥＤを用いた撮影装置が提案されている。
例えば、特許文献１には、カメラに複数の発光手段を備えることによって、発光手段が発光した光に起因する黒い影の発生を減少させて自然な画像を得ることを目的として、「発光手段が補助光を発光して被写体を撮影する発光装置付きカメラにおいて、発光ダイオードから構成される第１の発光手段及び発光ダイオードから構成される第２の発光手段が発光する補助光の光質を調節する発光制御手段を備え、前記第１の発光手段と前記第２の発光手段とを異なる場所に設けたことを特徴とする発光装置付きカメラ」が記載されている。
【先行技術文献】
【特許文献】
【０００３】
【特許文献１】特開２００３−２１５６７３号公報
【発明の概要】
【発明が解決しようとする課題】
【０００４】
しかしながら、上記のような従来技術には、以下の問題があった。
特許文献１に記載の技術では、撮影光軸を挟んで左右対称な位置に設けられた互いに平行な照射光軸を有するＬＥＤからなる２つの発光手段を有することにより、被写体の周囲に発生する影を減少できるものの、単位時間当たりの発光量がキセノン管に比べて低いため、撮影シーンによっては、光量不足を招き易いという問題がある。
また、特許文献１に記載の技術では、ＬＥＤの発光バランスを調整することで、種々の発光色に設定できるため、「発光手段が発光した光に起因する影に色を付け、独特な雰囲気を有する画像を創作する」ことや「利用者による画像の味付け」を行うことができるものの、補助光撮影に関する知識の乏しい利用者が使いこなすことは難しいという問題がある。
【０００５】
本発明は、上記のような問題に鑑みてなされたものであり、撮影用の照明光による画像の不自然さを容易に低減することができる撮影装置を提供することを目的とする。
【課題を解決するための手段】
【０００６】
上記の課題を解決するために、本発明の第１の態様の撮影装置は、放電により発光し、第１の照明光を形成する放電光源部と、ＬＥＤを有し、前記第１の照明光と色温度が異なる第２の照明光を形成するＬＥＤ光源部と、前記被写体の種類情報、位置情報、および色情報のうち少なくとも一つを被写体情報として取得する被写体情報取得部と、該被写体情報取得部によって取得された前記被写体情報に基づいて、前記放電光源部および前記ＬＥＤ光源部の発光制御パラメータを生成する発光制御パラメータ生成部と、を備える構成とする。
なお、本明細書では、「ＬＥＤ」は、Light Emitting Diodeの略称であり、発光ダイオードを意味する。
【０００７】
上記撮影装置では、前記発光制御パラメータ生成部によって生成された前記発光制御パラメータに基づいて、前記放電光源部および前記ＬＥＤ光源部の発光動作制御を行う発光制御部を備えることが可能である。
【０００８】
上記撮影装置では、前記発光制御パラメータ生成部によって生成された前記発光制御パラメータに基づく発光設定を表示する発光設定表示部を備えることが可能である。
【０００９】
上記撮影装置では、前記被写体情報取得部は、前記被写体の種類情報として、前記撮影部が取得する画像から検出を行って人物の有無に関する情報を取得することが可能である。
【００１０】
上記撮影装置では、前記被写体情報取得部は、前記被写体の位置情報として、合焦した被写体までの距離である撮影距離を取得することが可能である。
【００１１】
上記撮影装置では、前記被写体情報取得部は、前記被写体の色情報として、前記撮影部が取得する画像から合焦位置の被写体の色情報を取得することが可能である。
【００１２】
上記撮影装置では、前記被写体情報取得部は、前記被写体の色情報として、前記撮影部が取得する画像から撮影範囲の全体の色情報を取得することが可能である。
【００１３】
上記撮影装置では、前記ＬＥＤ光源部は、複数設けられており、複数の前記ＬＥＤ光源部は、前記撮影部の光軸を間に挟んで互いに離間する位置に設けられた構成が可能である。
【００１４】
上記撮影装置では、前記放電光源部および前記ＬＥＤ光源部は、互いの照射光軸の方向が相対的に変更可能である構成が可能である。
【００１５】
上記撮影装置では、前記ＬＥＤ光源部は、色温度が異なる複数種類のＬＥＤを備え、複数の該ＬＥＤは、互いに独立に発光制御可能であることが可能である。
【００１６】
上記撮影装置では、前記ＬＥＤ光源部は、前記撮影部を有する撮影装置本体に着脱可能に設けられた構成が可能である。
【発明の効果】
【００１７】
本発明の撮影装置によれば、被写体情報取得部が取得した被写体情報に応じて、放電光源部による第１の照明光とＬＥＤ光源部による第２の照明光とを選択して用いることができるため、撮影用の照明光による画像の不自然さを容易に低減することができるという効果を奏する。
【図面の簡単な説明】
【００１８】
【図１】本発明の第１の実施形態の撮影装置の概略構成を示す模式的な斜視図、およびそのＡ視の正面図である。
【図２】図１におけるＣ視図である。
【図３】図１におけるＢ−Ｂ断面図である。
【図４】本発明の第１の実施形態の撮影装置に用いるＬＥＤの配置構成の一例および他例を示す模式的な正面図である。
【図５】本発明の第１の実施形態の撮影装置の制御部の機能構成を示す機能ブロック図である。
【図６】本発明の第１の実施形態の撮影装置に用いる放電光源部の相対強度分布の一例を示すグラフである。
【図７】本発明の第１の実施形態の撮影装置の作用を説明する撮影例の被写体を示す模式図である。
【図８】本発明の第１の実施形態の撮影装置の撮影動作を説明するフローチャートである。
【図９】本発明の第１の実施形態の撮影装置のＡＦ動作を説明するフローチャートである。
【図１０】本発明の第１の実施形態の撮影装置の顔検出動作を説明する動作説明図である。
【図１１】本発明の第１の実施形態の撮影装置による撮影例の画像、および比較例の画像を示す模式図である。
【図１２】本発明の第１の実施形態の撮影装置による撮影例および比較例の照明光と影との関係を示す模式的な平面図である。
【図１３】本発明の第１の実施形態の撮影装置による他の撮影例の被写体を示す模式図、および被写体の色検出動作を説明する動作説明図である。である。
【図１４】本発明の第１の実施形態の第１変形例の撮影装置に用いるＬＥＤの配置構成の一例および他例を示す模式的な正面図である。
【図１５】図１４におけるＤ−Ｄ断面図である。
【図１６】本発明の第１の実施形態の第２変形例の撮影装置の概略構成を示す模式的な斜視図である。
【図１７】本発明の第１の実施形態の第３変形例の撮影装置の概略構成を示す模式的な斜視図である。
【図１８】本発明の第２の実施形態の撮影装置の概略構成を示す模式的な斜視図である。
【図１９】図１８におけるＥ視図である。
【図２０】本発明の第２の実施形態の撮影装置の制御部の機能構成を示す機能ブロック図である。
【発明を実施するための形態】
【００１９】
以下では、本発明の実施形態について添付図面を参照して説明する。すべての図面において、実施形態が異なる場合であっても、同一または相当する部材には同一の符号を付し、共通する説明は省略する。
【００２０】
［第１の実施形態］
本発明の第１の実施形態の撮影装置について説明する。
図１（ａ）は、本発明の第１の実施形態の撮影装置の概略構成を示す模式的な斜視図である。図１（ｂ）は、図１（ａ）におけるＡ視の正面図である。図２は、図１（ａ）におけるＣ視図である。図３は、図１（ｂ）におけるＢ−Ｂ断面図である。図４（ａ）、（ｂ）は、本発明の第１の実施形態の撮影装置に用いるＬＥＤの配置構成の一例および他例を示す模式的な正面図である。図５は、本発明の第１の実施形態の撮影装置の制御部の機能構成を示す機能ブロック図である。図６は、本発明の第１の実施形態の撮影装置に用いる放電光源部の相対強度分布の一例を示すグラフである。横軸は波長（ｎｍ）、縦軸は相対強度（％）を表す。
【００２１】
図１（ａ）、（ｂ）、図２に示すように、本実施形態の撮影装置であるカメラ１は、種々の撮影シーンに応じて被写体の静止画像または動画像を撮像するコンパクトデジタルカメラである。
カメラ１は、被写体の像を取得する撮影光学系である撮影レンズ部３（撮影部）と、撮影レンズ部３が内蔵され撮影レンズ部３による被写体の像を図示略の撮像素子で撮像する本体部２（撮影装置本体）と、撮影に用いる照明光を形成する照明部として、放電光源部４、ＬＥＤ光源部５Ａ、５Ｂ、５Ｃ、５Ｄ、５Ｅ、５Ｆ（「５Ａ〜５Ｆ」と略記する場合がある）とを備える。
なお、以下の説明において、ＬＥＤ光源部５Ａ〜５Ｆを特に区別する必要がない場合には、単に「ＬＥＤ光源部５」と称する場合がある。
【００２２】
本体部２は、矩形状の前面部２Ｆと、前面部２Ｆの長辺の一方に隣接する上面部２Ｕと、上面部２Ｕを挟んで前面部２Ｆと対向する背面部２Ｂとを有する直方体状の筐体２ａに覆われている。
前面部２Ｆの略中心部には、図１（ａ）に示すように、撮影光軸Ｏ３が前面部２Ｆの法線方向に沿うように、撮影レンズ部３が設けられている。撮影レンズ部３は、複数のレンズまたはレンズ群から構成され、可動支持された少なくとも１つのレンズまたはレンズ群（以下、焦点位置調整レンズと称する）によって、焦点位置の調整が可能である。また、撮影レンズ部３は単焦点の撮影光学系でもよいし、ズーム光学系などの多焦点の撮影光学系でもよい。
上面部２Ｕを上方に向けたとき背面部２Ｂ側から見て右側の上面部２Ｕ上には、シャッターボタン６が配置されている。シャッターボタン６が半押しされると、後述するＡＥ制御部２１によってＡＥ（自動露出）動作の制御が行われ、後述する制御部１３によってＡＦ（自動焦点合わせ）動作の制御が行われる。シャッターボタン６が全押しされると、ＡＥ制御部２１で決定された露出に基づいて、シャッターリリースが行われる。
【００２３】
カメラ１を用いた標準的な撮影では、被写体に撮影レンズ部３を向けるとともに、上面部２Ｕが上向きとなるようにカメラ１を保持し、シャッターボタン６を下方に押下することによりシャッターリリースを行う。
以下の説明では、カメラ１の各部の相対位置の説明を簡略化するため、特に断らない限り、カメラ１がこのような標準的な撮影を行う際の姿勢に置かれているものとして、上（下）方向、上（下）側、上（下）端などの用語を用いる。
【００２４】
背面部２Ｂには、図２に示すように、撮像された画像や映像を表示したり、操作に必要なＧＵＩ（グラフィカルユーザーインタフェース）からなる操作画面や入力情報を表示したりする液晶モニタ７と、液晶モニタ７に表示される操作画面上でカーソル移動や決定などの操作入力を行う十字ボタン８ｂと、カメラ１の各種の動作モードの操作入力を行う複数の選択ボタン８ａや、静止画撮影モード、動画撮影モード、再生モード等を切り替えたりする操作ボタン８ｃとが設けられている。
選択ボタン８ａによって、操作入力を行う動作モードが選択されると、液晶モニタ７には、ツリー構造を有するＧＵＩ操作画面が表示され、十字ボタン８ｂを用いて、操作メニューの選択や操作入力、設定を行うことができるようになっている。
これら、選択ボタン８ａ、十字ボタン８ｂ、操作ボタン８ｃは、カメラ１の操作部８を構成している。
カメラ１の操作部８は、これら背面部２Ｂに設けられたボタン類には限定されず、適宜他の場所に設けられたボタン、レバー、ダイヤル、スイッチなどからなる操作部が含まれていてもよい。また、液晶モニタ７上にタッチパネルを備え、ＧＵＩと組み合わせたタッチパネル操作部を備えていてもよい。
【００２５】
放電光源部４は、カメラ１の前方に向かう放射状の照明光Ｌ４（第１の照明光）を形成するもので、上面部２Ｕを上側に向けたとき、前面部２Ｆにおいて向かって左側、かつ上面部２Ｕ寄りとなる位置において筐体２ａの内部に内蔵されている。
放電光源部４の構成は、放電作用により白色光を発光するものであれば、特に限定されず、カメラ用の内蔵ストロボに用いられる周知の構成はすべて採用することができる。
本実施形態では、放電光源部４は、前面部２Ｆと略整列して配置された透明材料からなる投光窓４ｂと、投光窓４ｂの裏面側の筐体２ａ内に配置され、背後が図示略の反射板で囲まれ、高圧放電によって照明光を放射するキセノン管４ａとを備える。
本実施形態に用いるキセノン管４ａの色温度は５４００Ｋである。
また、本実施形態では、放電光源部４は、その照射光軸Ｏ４が、撮影光軸Ｏ３と平行に延びるように配置されており、照射光軸Ｏ４と撮影光軸Ｏ３とは、上下方向および左右方向に離間されている。
【００２６】
ＬＥＤ光源部５Ａ〜５Ｆは、図１（ｂ）に示すように、前面部２Ｆにおいて、撮影光軸Ｏ３を中心とし撮影レンズ部３の外周側となる円周上に、互いに間をあけて配置されている。
本実施形態では、ＬＥＤ光源部５Ａ〜５Ｆは、円周を六等分するように図示時計回りにこの順で配置され、ＬＥＤ光源部５Ａが撮影光軸Ｏ３の真上、ＬＥＤ光源部５Ｄが撮影光軸Ｏ３の真下に位置している。このため、ＬＥＤ光源部５Ｂ、５Ｃと、ＬＥＤ光源部５Ｆ、５Ｅとは、ＬＥＤ光源部５Ａ、撮影光軸Ｏ３、ＬＥＤ光源部５Ｃを通る軸線を対称軸として左右対称に配置されている。また、ＬＥＤ光源部５ＡおよびＬＥＤ光源部５Ｃ、ＬＥＤ光源部５ＢおよびＬＥＤ光源部５Ｅ、ＬＥＤ光源部５ＣおよびＬＥＤ光源部５Ｆの各対は、いずれも、撮影光軸Ｏ３を挟んで等距離をあけて離間している。
各ＬＥＤ光源部５の構成は、互いに同様であるため、図３に示すＬＥＤ光源部５Ａの例で説明する。
ＬＥＤ光源部５Ａは、図３に示すように、筐体２ａの内部に、照明光Ｌ５Ａ（第２の照明光）を形成する発光素子部５ａと、発光素子部５ａを実装する回路基板９と、発光素子部５ａから出射される照明光Ｌ５Ａを反射するため発光素子部５ａの側方を囲んで発光素子部５ａの前方に延ばされた反射板５ｄと、照明光Ｌ５Ａを外部に投光するため発光素子部５ａに対向する部位において反射板５ｄの開口を覆う投光窓５ｃとを備える。
投光窓５ｃは、屈折力を有しない一定板厚の透過窓であってもよいが、例えば、フレネルレンズなどの屈折力を有する形状として、出射される照明光を適宜の範囲に集光あるいは発散できるようにしてもよい。
投光窓５ｃから出射される照明光Ｌ５Ａは、本実施形態では、撮影光軸Ｏ３に平行な照射光軸Ｏ５Ａを中心として、前面部２Ｆの前方に放射される。
特に図示しないが、同様にして、ＬＥＤ光源部５Ｂ、５Ｃ、５Ｄ、５Ｅ、５Ｆからは、照明光Ｌ５Ｂ、Ｌ５Ｃ、Ｌ５Ｄ、Ｌ５Ｅ、Ｌ５Ｆ（第２の照明光）が放射される。以下、これら照明光の発光元を特に区別しない場合には、単に「照明光Ｌ５」と称する場合がある。
【００２７】
発光素子部５ａは、図４（ａ）に示すように、回路基板９に赤色光を発光する赤色ＬＥＤ１０ｒ（ＬＥＤ）、緑色光を発光する緑色ＬＥＤ１０ｇ（ＬＥＤ）、青色光を発光する青色ＬＥＤ１０ｂ（ＬＥＤ）が、矩形状領域内に２次元格子状に配列された素子群からなり、照明光Ｌ５Ａは、これらの赤色ＬＥＤ１０ｒ、緑色ＬＥＤ１０ｇ、青色ＬＥＤ１０ｂからそれぞれ放射された光束を重ね合わせて構成される。赤色ＬＥＤ１０ｒ、緑色ＬＥＤ１０ｇ、青色ＬＥＤ１０ｂの出射光束の中心軸の向きは、いずれも回路基板９に直交する方向に揃えられている。
このため、発光素子部５ａは、赤色ＬＥＤ１０ｒ、緑色ＬＥＤ１０ｇ、青色ＬＥＤ１０ｂが配列された矩形状領域を発光領域とする擬似的な面発光光源になっている。
赤色ＬＥＤ１０ｒ、緑色ＬＥＤ１０ｇ、青色ＬＥＤ１０ｂのそれぞれの個数は、特に限定されず、それぞれ同数でもよいし、異なる個数でもよい。また、本実施形態では、互いに異なる種類同士が隣接するように配置しているが、同種のものが隣接するように配列してもよい。
赤色ＬＥＤ１０ｒ、緑色ＬＥＤ１０ｇ、青色ＬＥＤ１０ｂの発光量は、それぞれの発光量を独立に設定することが可能になっており、これらの発光量の組合せにより、種々の色温度に対応した種々の発光量の照明光Ｌ５Ａを形成することができる。
本実施形態では、一例として、照明光Ｌ５Ａの色温度を、例えば、色温度を２０００Ｋから１００００Ｋまで段階的に変更できるようになっている。
このように、発光素子部５ａは、照明光の色温度が変更可能な色温度可変光源になっている。
【００２８】
なお、本実施形態の発光素子部５ａに代えて、図４（ｂ）に示すような赤色ＬＥＤ１０ｒ、緑色ＬＥＤ１０ｇ、青色ＬＥＤ１０ｂがそれぞれ１個ずつ配置された発光素子部２５ａを採用することも可能である。
【００２９】
このような発光素子部５ａ、２５ａによれば、いずれもＬＥＤを用いるため、例えば、キセノン管を用いたストロボに比べると、簡素な構成となり、周辺回路構成も含めた部品点数を削減し、軽量化、小型化を図ることができる。
【００３０】
ここで、カメラ１の電装部の構成について説明する。
カメラ１の電装部は、図５に示すように、以上に説明したＬＥＤ光源部５Ａ〜５Ｆ等の電装部の他に、撮影レンズ部３で撮影された像を光電変換する撮像素子１１（撮影部）と、撮影レンズ部３の焦点位置合わせを行うために撮影レンズ部３の焦点位置調整レンズを移動させるモータなどからなるレンズ駆動部１２と、ＬＥＤ光源部５Ａ、５Ｂ、５Ｃ、５Ｄ、５Ｅ、５Ｆをそれぞれ駆動するＬＥＤドライバ１９Ａ、１９Ｂ、１９Ｃ、１９Ｄ、１９Ｅ、１９Ｆ（「１９Ａ〜１９Ｆ」と略記する場合がある）と、放電光源部４を発光させる発光回路２０と、制御部１３と、測光を行いプログラム線図に基づいて露出を決定するＡＥ制御部２１とを備える。なお、図示簡略化のため、図５では、ＬＥＤ光源部５Ｂ、５Ｃ、５Ｄ、５Ｅと、これらに対応するＬＥＤドライバ１９Ｂ、１９Ｃ、１９Ｄ、１９Ｅとは図示を省略している。
【００３１】
ＬＥＤドライバ１９Ａ〜１９Ｆは、それぞれの回路基板９に配置された赤色ＬＥＤ１０ｒ、緑色ＬＥＤ１０ｇ、青色ＬＥＤ１０ｂを個別または適宜のグループごとにスイッチングする回路、制御部１３からの制御信号に基づいて発光素子部５ａの各赤色ＬＥＤ１０ｒ、緑色ＬＥＤ１０ｇ、青色ＬＥＤ１０ｂへの供給電流を制御して、それらの発光量と発光時間とを制御する駆動回路などを備える。
ＬＥＤドライバ１９Ａ〜１９Ｆは、各赤色ＬＥＤ１０ｒ、緑色ＬＥＤ１０ｇ、青色ＬＥＤ１０ｂと、制御部１３とにそれぞれ電気的に接続されている。
これにより、ＬＥＤドライバ１９Ａ〜１９Ｆは、それぞれが接続されたＬＥＤ光源部５Ａ〜５Ｆの各発光素子部５ａを、それぞれ独立に、例えば、２０００Ｋから１００００Ｋまでの間で独立に変更することができる。このため、被写体の色、撮影シーンの色調、撮影意図に応じて、色温度を変更した照明光を照射することができる。
また、各発光素子部５ａは、「ストロボ発光」と「連続発光」とが可能である。
【００３２】
ここで、「ストロボ発光」とは、本体部２のシャッターが開放される間に行う短時間の発光を意味しており、連続的に発光するか、パルス状に発光するかは問わない。
これに対して、「連続発光」は、発光開始信号によって発光を開始し、発光終了信号を受信するまで連続して発光することを意味し、本実施形態では、動画撮影時の照明や、静止画撮影における後述のプリ発光に用いられる。
【００３３】
制御部１３は、操作部８からの操作入力に応じてカメラ１の各部の動作条件を設定し、操作部８による操作またはシャッターボタン６の半押しまたは全押しの操作に応じて、ＡＦ動作、放電光源部４およびＬＥＤ光源部５Ａ〜５Ｆの発光制御、撮像動作等を含む撮影動作全般の制御を行うものである。
操作部８から設定可能な動作モードには、放電光源部４およびＬＥＤ光源部５Ａ〜５Ｆの発光モードが含まれる。
制御部１３の主要部の構成は、画像取得部１４、画像処理部１５（被写体情報取得部）、記憶部１８、ＡＦ制御部１６（被写体情報取得部）、および発光制御部１７（発光制御パラメータ生成部）を備える。
【００３４】
画像取得部１４は、撮像素子１１で光電変換された画像データを取得するものである。
【００３５】
画像処理部１５は、画像取得部１４が取得した画像データに種々の画像処理や演算処理を行うものであり、画像取得部１４、ＡＦ制御部１６、記憶部１８、および液晶モニタ７とそれぞれ通信可能に接続されている。
画像処理部１５が行う画像処理としては、例えば、周知のゲイン補正、ホワイトバランス調整、ガンマ補正、ノイズ低減処理、輪郭補正、圧縮処理などの、画質を調整するための画像処理を挙げることができる。
ホワイトバランス調整は、周知のデジタルカメラと同様、ホワイトバランス制御のモード設定に基づいてホワイトバランスを調整する画像処理である。
例えば、ホワイトバランス制御の「オート」モードが設定されている場合、画像データの一部または全体から照明光の色温度を推定し、その色温度に応じて予め決められた補正を行う。
また、ユーザ設定により、ホワイトバランス制御のモードが、例えば、「曇天」モード、「晴天」モード、「蛍光灯」モード、「電球」モードなどの特定の照明光を想定した設定や、ユーザが照明光の色温度を設定する「マニュアル設定」モードによる設定がなされている場合には、それぞれが想定する照明光の色温度に応じて、予め決められたホワイトバランス調整の処理を行う。
画像処理済みの画像データは、液晶モニタ７に表示されるとともに、必要に応じて、記憶部１８に記憶される。
また、画像処理部１５が行う演算処理としては、画像データから、被写体情報を取得するための演算処理を挙げることができる。
【００３６】
被写体情報としては、画像データから取得可能な情報であれば特に限定されないが、本実施形態では、被写体の種類情報、位置情報、および色情報の取得が可能である。
画像処理部１５では、被写体の種類情報は、例えば、被写体における人物の有無の情報であり、画像データを顔検出処理することによって取得する。ただし、顔検出以外にも被写体の種類の応じた検出器を備えることにより、他の種類情報を取得することも可能である。
顔検出手段としては、例えば、目や鼻筋回りに現れる特徴的な明暗差を効率的に検出するＨａａｒ−ｌｉｋｅ検出器と、多段フィルタ（カスケード）処理とを組み合わせた周知の構成を採用することができる。
画像処理部１５が取得する被写体の位置情報としては、この顔検出によって検出された顔の撮影画面内の位置を挙げることができる。
被写体の色情報としては、画像データの適宜領域の画像データの平均値から、特定領域の平均的な色データ、例えば、ＲＧＢデータを算出する。色情報を取得する色情報取得領域としては、例えば、被写体の合焦部分およびその近傍の画像領域、または、画像中央部などの予め決められた一部領域、または、画像全体を選択することが可能である。
これらの被写体情報は算出されると、記憶部１８に記憶される。
このように、画像処理部１５は、被写体の種類情報、位置情報、および色情報のうち少なくとも一つを被写体情報として取得する被写体情報取得部を構成している。
【００３７】
ＡＦ制御部１６は、シャッターボタン６の半押しによって開始されるＡＦ動作の制御を行うものである。すなわち、本実施形態では、レンズ駆動部１２を介して、撮影レンズ部３の焦点位置を無限遠に移動し、至近側に向けて焦点位置を移動させるとともに、各移動位置において、画像処理部１５から送出される画像データの画像コントラストを演算し、山登り法によって合焦位置を算出する。
本実施形態では、撮影範囲内に、複数のＡＦターゲットが設定され、ＡＦターゲット位置を中心として合焦演算領域が設定されている。そして、合焦演算領域ごとに画像コントラストを算出し、山登り法によって合焦位置を算出し、算出された合焦位置は、撮影距離の情報として、ＡＦターゲットの位置情報とともに、記憶部１８に記憶される。
撮影のための合焦位置は、例えば、最も至近側の合焦位置に合わせる。
【００３８】
一方、各ＡＦターゲットの合焦位置は、撮影範囲におけるカメラ１から各ＡＦターゲットにおける被写体までの距離の情報を表しているため、後述する発光制御部１７によって発光制御に用いることが可能である。このため、ＡＦ制御部１６は、被写体の位置情報を被写体情報として取得する被写体情報取得部を構成している。
【００３９】
発光制御部１７は、予め操作部８を介して選択された複数の照明モードに基づいて、放電光源部４および各ＬＥＤ光源部５の発光制御を行うものであり、操作部８、記憶部１８、発光回路２０、およびＬＥＤドライバ１９Ａ〜１９Ｆと通信可能に接続されている。
例えば、操作ボタン８ｃによって静止画撮影モードが選択された場合、周知の照明モードが選択可能である。
【００４０】
周知の照明モードとしては、メーカーによって名称が異なるが、例えば、露出不足となるときに自動発光する「オート発光」モード、赤目軽減のため本発光前に予備発光する「赤目軽減」モード、強制的に発光させる「強制発光」モード、予備発光後に強制発光させる「赤目・強制発光」モード、発光を禁止する「発光禁止」モード、低速のシャッター速度下で発光する「スローシンクロ」モード、撮影シーンが暗い場合にもＡＦ動作を行えるようにＡＦ動作中に連続発光するプリ発光を行う「ＡＦイルミネータ」モードなどを挙げることができる。
本実施形態では、照明部として、放電光源部４とＬＥＤ光源部５Ａ〜５Ｆとを備えているため、発光制御部１７によって、放電光源部４、ＬＥＤ光源部５Ａ〜５Ｆの発光の組合せ制御が行われる。
この組合せ制御は、記憶部１８に記憶された被写体情報に基づいて、発光制御部１７が予め設定された発光モードを選択することにより自動的に行われる。
予め設定された発光モードは、例えば、撮影距離検知発光モード、顔検出発光モード、色検出発光モードである。これら発光モードは、「オート発光」モードおよび「強制発光」モードと、「赤目・強制発光」モードにおける強制発光時とに有効である。ただし、いずれも照明モードであっても、マニュアル設定により、各発光モードを個別に無効化することが可能である。
【００４１】
撮影距離検知発光モードは、ＡＦ制御部１６によって決定された合焦位置に対応する撮影距離に応じて、放電光源部４と各ＬＥＤ光源部５との発光の組合せ制御を行う発光モードである。
本発光モードでは、撮影距離が短い至近領域の撮影では、放電光源部４の発光を禁止しＬＥＤ光源部５のみを発光させ、人物のスナップ撮影が行われることが多い撮影距離が近距離の領域の撮影では、放電光源部４とともに、放電光源部４の照明光における赤色成分の不足をおぎなうためにＬＥＤ光源部５を１以上必ず発光させる発光モードである。
【００４２】
至近領域の撮影では、短時間のうちに大光量を発光する放電光源部４を発光させると、放電光源部４の調光が間に合わなくなる。このため、被写体に照射される照明光が過剰となり、てかりや白飛び画像になってしまう。
このような失敗を避けるため、従来は至近領域のマクロ撮影ではストロボの発光を禁止している場合も見られる。この場合には、光量が不足して、シャッター速度が遅くなるため手ぶれを起こしやすくなる。
これに対して、ＬＥＤ光源部５は、放電光源部４に比べると発光時間を長くすることができるため、近い被写体でも調光が可能となり、適正な露出が得られる。また、撮影距離が近い場合には、光量が少なくて済むため、各ＬＥＤ光源部５のみでも光量は足りる。
本実施形態では、撮影距離が３０ｃｍ未満の場合には、放電光源部４の発光を禁止してＬＥＤ光源部５のみを発光させるようにしている。
このとき、各ＬＥＤ光源部５の色温度は、デフォルトの設定では、放電光源部４の色温度と同じ５４００Ｋに設定されている。このため、至近領域の撮影において放電光源部４を代用する照明光を形成することができる。
ただし、各ＬＥＤ光源部５は、色温度を変えることができるため、マニュアル操作によって適宜の色温度に設定することも可能である。この場合、放電光源部４の色温度の照明光が混じらないため、放電光源部４とともに発光させる場合に比べて、より広範囲に色温度を変更することが可能となる。
また、後述する顔検出発光モード、色検出発光モードが有効になっている場合には、それぞれの発光モードの色温度が設定される。
【００４３】
放電光源部４に用いたキセノン管４ａの波長特性は、図６に曲線１００で示すような特性を示す。曲線１０１は、比較のため記載した自然昼光の相対強度分布である。
図６から分かるように、キセノン管４ａは、赤色成分が相対的に落ち込んだ分布を示すため、自然昼光に比べると長波長側の赤色成分が不足しているため、温かみに欠ける「硬い」照明になっている。
特に、肌色を美しく撮影することが好ましい人物撮影では、キセノン管４ａの照明光に、赤みを加えることが好ましい。
そこで本発光モードでは、人物のクロースアップなどが多くなる近距離の撮影では、放電光源部４に加えて、赤色成分を補うために必ずＬＥＤ光源部５を発光させる。近距離の範囲は、一例として、撮影距離３０ｃｍ以上２ｍ未満としている。
本発光モードでは、ホワイトバランス制御が「オート」モードの場合、各ＬＥＤ光源部５の赤色ＬＥＤ１０ｒの発光量を増やし、照明光全体として色温度が３５００Ｋになるように設定している。
【００４４】
顔検出発光モードは、撮影範囲内に人の顔が検出されることにより被写体種類が人物であるとの被写体情報が得られた場合に、赤色ＬＥＤ１０ｒの発光量を増やして、照明光全体として色温度が低くなるように設定されたＬＥＤ光源部５を発光させる発光モードである。
本発光モードの場合、各ＬＥＤ光源部５の色温度は、ホワイトバランス制御により検出される照明光の色温度よりも、予め設定された値だけ低い色温度が設定される。
【００４５】
色検出発光モードは、撮影範囲内の全体または部分領域の色情報を被写体情報として取得し、この色情報に基づいて、各発光素子部５ａの赤色ＬＥＤ１０ｒ、緑色ＬＥＤ１０ｇ、青色ＬＥＤ１０ｂの発光バランスを変えた照明光を形成する発光モードである。
本実施形態では、一例として、主要被写体の色を忠実に再現できる、もしくはより印象的に表現できるように、合焦したＡＦターゲットを含む画像領域の色情報に基づいて、各ＬＥＤ光源部５の照明光のＲＧＢバランスを設定する。
【００４６】
放電光源部４の照明光は、自然昼光に比べて赤色成分が少ない。このため、ＬＥＤ光源部５は、放電光源部４の赤色成分の不足を補う手段と考えることができる。
したがって、基本的には、ＬＥＤ光源部５の色温度は、ホワイトバランス制御により検出される照明光の色温度よりも所定量だけ低い色温度に設定すれば、忠実な色再現が可能である。
ただし、比視感度や、キセノン管とＬＥＤとの分光強度分布の違いを考慮すると、ＬＥＤ光源部５の色温度は、被写体の色によって最適値が異なると考えられるため、種々の被写体の色に対して実験やシミュレーション等を行うなどして決めることがより好ましい。
例えば、被写体が肉などの場合には、被写体情報として検出される色情報は、鮮やかな赤色である。この場合には、人物の肌色よりも赤色成分が多い方が、良好な色再現が得られるため、肌色を検出した場合よりも色温度をさらに低くすることが好ましい。
また、青色を検出した場合など、赤色成分が少ない方が好ましい場合もある。
このような好ましい色温度は、複数色のパッチチャートを、自然光のみ、放電光源部４のみで撮り比べ、それぞれの撮影画像のＲＧＢバランスの相違を実測し、被写体の色に応じて不足する色成分の量を補正するために最適なＬＥＤ光源部５の色温度を求める。そして、この色温度と実験に用いた照明光との色温度との差分量を、例えば、テーブルや数式として、記憶部１８に格納しておく。
撮影時には、ホワイトバランス制御により検出される照明光の色温度から、この差分量を引いた色温度に設定すればよい。
なお、差分量を単純に引くのではなく、ホワイトバランス制御により検出される照明光に応じて差分量を増減させる設定としてもよい。例えば、差分量に対する補正係数をホワイトバランス制御により検出される照明光の関数として組み込んでおくことも可能である。
【００４７】
また、同様の実験を被検者の官能評価と併せて行うことで、被写体の色をより好ましく撮影するために必要なＬＥＤ光源部５のＲＧＢバランスの値の設定も可能である。
すなわち、色検出発光モードには、色再現を忠実に行う「ノーマルモード」と、見映えを補正した「補正モード」とが、操作部８によって選択できるようにしてもよい。「補正モード」としては、例えば、原色を強調した補正をする「鮮やかモード」が可能である。
本実施形態では、一例として、色情報に応じて「ノーマルモード」と「鮮やかモード」との設定が記憶部１８に記憶されている。
【００４８】
以上は、放電光源部４とＬＥＤ光源部５とを発光する場合の設定であるが、撮影距離検知発光モードにおいて、放電光源部４の発光が禁止された場合には、同様にして、ＬＥＤ光源部５の好ましい色温度が得られる設定を設けておく。
【００４９】
このような制御部１３の装置構成は、本実施形態では、ＣＰＵ、メモリ、入出力インターフェースなどを備えるコンピュータを採用している。
【００５０】
ＡＥ制御部２１は、図示略の測光センサ、シャッター、絞り、発光制御部１７、および操作部８と通信可能に接続されている。
ＡＥ制御部２１は、操作部８のうちシャッターボタン６が半押しされると動作を開始し、測光センサから１以上の測光ターゲットにおける測光値を取得し、プログラム線図に基づいて露出を決定する。
ただし、本実施形態のカメラ１では、測光値が低すぎる場合には「ＡＦイルミネータ」モードを行うため、ＡＥ制御部２１は、発光制御部１７に制御信号を送出して、各ＬＥＤ光源部５を連続発光させるプリ発光動作を実行する。すなわち、ＡＥ制御部２１は、プリ発光下において露出を決定し、ＡＦ動作が完了するまでプリ発光を継続させる。
【００５１】
なお、ＡＥのための測光は、測光センサを用いる測光には限定されない。例えば、ＡＥ制御部２１に画像取得部１４が取得した画像データを転送し、ＡＥ制御部２１によって撮影範囲内の適宜の部位の光量を算出することによって、測光を行う構成としてもよい。
【００５２】
次に、カメラ１の動作について、各ＬＥＤ光源部５を発光させる場合の撮影例を中心として説明する。
図７は、本発明の第１の実施形態の撮影装置の作用を説明する撮影例の被写体を示す模式図である。図８は、本発明の第１の実施形態の撮影装置の撮影動作を説明するフローチャートである。図９は、本発明の第１の実施形態の撮影装置のＡＦ動作を説明するフローチャートである。図１０は、本発明の第１の実施形態の撮影装置の顔検出動作を説明する動作説明図である。図１１（ａ）、（ｂ）は、本発明の第１の実施形態の撮影装置による撮影例の画像、および比較例の画像を示す模式図である。図１２（ａ）、（ｂ）は、本発明の第１の実施形態の撮影装置による撮影例および比較例の照明光と影との関係を示す模式的な平面図である。
【００５３】
まず、以下の説明に用いる撮影例の被写体について説明する。
本撮影例は、人物を静止画撮影する撮影例であり、図７に示すように、黄土色の背景壁２２を有する室内において、背景壁２２の前に置かれた白色の椅子に腰掛けた被写体Ｓの上半身を撮影フレームの略中央に収めて撮影を行う。
撮影レンズ部３の焦点距離が５０ｍｍの場合、この場合の撮影距離は約２ｍになる。
被写体Ｓは、灰色の洋服を着用しており、顔部Ｓｆ、首部Ｓｎ、手先部Ｓｈにおいて肌が露出されている。
顔部Ｓｆに対して向かって右側には、実験用に、校正済みの赤色チャート部２３Ｒ、緑色チャート部２３Ｇ、青色チャート部２３Ｂが並列して設けられたカラーチャート２３が配置されている。
【００５４】
以下では、放電光源部４、各ＬＥＤ光源部５の照明モードは、「オート発光」モードの場合の例で説明する。本実施形態の「オート発光」モードのデフォルト設定では、撮影距離検知発光モード、顔検出発光モード、および色検出発光モードがすべて有効である。ただし、各ＬＥＤ光源部５の色温度がマニュアル設定された場合、顔検出発光モードは有効とされるが、色検出発光モードは無効化される。
この場合、それぞれの発光モードごとに、放電光源部４および各ＬＥＤ光源部５の発光の組合せと、各ＬＥＤ光源部５の色温度との設定が異なる場合が出てくる可能性がある。このため、「オート発光」モードでは、放電光源部４を発光させるかどうかは、撮影距離検知発光モードの設定に従う。また、各ＬＥＤ光源部５の色温度は、顔が検出された場合には、顔検出発光モードの設定に従い、顔が検出されなかった場合に色検出発光モードの設定に従う。
すなわち、以下の動作説明では、撮影シーンに人の顔が含まれる場合には自動的に顔部の発色が自然となる照明光が形成される設定になっている。
なお、人の顔を含む撮影において、色温度をマニュアル設定したい場合には、色温度を予めマニュアル設定した上で、撮影距離検出発光モードおよび顔検出発光モードを無効化し、「強制発光」モードまたは「赤目・強制発光」モードを用いれば可能になる。
【００５５】
カメラ１によって撮影を行うには、図８に示すフローにしたがって、ステップＳ１〜Ｓ１２を実行する。
ステップＳ１では、撮影者がカメラ１を構えて被写体Ｓをフレーミングし、シャッターボタン６を半押しする。これにより、ＡＥ制御部２１によって測光が開始される。
【００５６】
次にステップＳ２では、ＡＥ制御部２１が、測光結果に基づいて、プリ発光を行う必要があるかどうかを判定する。
測光値が予め決められた許容値以下であるためプリ発光が必要と判定された場合に、ステップＳ３に移行する。
測光値が予め決められた許容値よりも大きいためプリ発光が不必要と判定された場合には、ステップＳ４に移行する。
ただし、「ＡＦイルミネータ」モードを禁止する設定がなされている場合に、本ステップおよびステップＳ３は省略される。
【００５７】
ステップＳ３では、ＡＥ制御部２１は、ＬＥＤドライバ１９Ａ〜１９Ｆに対して、予め決められた光量で各ＬＥＤ光源部５を連続発光させる制御信号を送出する。
これにより、各ＬＥＤ光源部５が連続発光し、被写体Ｓが照明される。
この時の照明光の色温度は、測光センサの測光感度に影響を与えないように、測光センサの波長感度に応じて予め決められた色温度で発光させる。例えば、５４００Ｋに設定する。この色温度の設定はプリ発光が終了すると解除される。
【００５８】
次にステップＳ４ではＡＦ動作を行う。
カメラ１は、コントラスト法によって合焦位置を求める。このとき、露出、ホワイトバランスは、適宜のデフォルト値に設定されている。本実施形態では、合焦位置を求めるための複数の測距領域であるＡＦエリアが、撮影範囲内に設定されている。
ＡＦ制御部１６は、各ＡＦエリアの画像データのコントラストを評価し、これを合焦評価値に用いる。
本ステップは、図９に示すフローにしたがって、ステップＳ２１〜Ｓ２４を実行することで行われる。
【００５９】
ステップＳ２１は、焦点位置を無限遠に設定するステップである。
ＡＦ制御部１６は、レンズ駆動部１２に制御信号を送出し、撮影レンズ部３の焦点位置が無限遠となるように、レンズ駆動部１２によって撮影レンズ部３の焦点位置調整レンズを移動させる。
以上で、ステップＳ２１が終了する。
【００６０】
次に、ステップＳ２２を行う。本ステップは、至近位置に向けて焦点位置移動を開始するステップである。
すなわち、ＡＦ制御部１６は、レンズ駆動部１２に撮影レンズ部３の焦点位置を至近位置に向けた移動を開始させる制御信号を送出する。
焦点位置調整レンズの移動量は、例えば、レンズ駆動部１２のエンコーダ出力などによって測定され、ＡＦ制御部１６に送出される。ＡＦ制御部１６は、移動量を受け取ると、順次、焦点位置を撮影距離に換算する。
【００６１】
焦点位置調整レンズが移動を開始したら、ステップＳ２３を行う。本ステップは、コントラスト法により合焦位置を探索するステップである。
すなわち、ＡＦ制御部１６は、撮像素子１１で撮像された画像データを画像処理部１５から取得し、ＡＦエリアごとに、画像のコントラストを算出する。
このコントラストは、無限遠側から至近側に向かうにつれて、コントラストが低い状態から増大し、被写体の位置に対応するピーク値に到達した後、低下する、といった山形の変化を示す。
このとき、この画像データは液晶モニタ７にその都度表示される。
【００６２】
ＡＦ制御部１６は、ＡＦエリアごとに、コントラストの変化を調べて、ピークが検出されたら、ＡＦエリアの位置と、ピークの位置における撮影距離とを記憶部１８に記憶する。
すべてのＡＦエリアにおいて、コントラストのピークを越えたことが検出されるか、または、焦点位置調整レンズが至近側の移動限界まで移動したら、ＡＦ制御部１６は、レンズ駆動部１２に、動作を停止する制御信号を送出する。
以上で、ステップＳ２３が終了する。
【００６３】
次に、ステップＳ２４を行う。本ステップは、撮影用の合焦位置とこれに対応する合焦エリアを決定するステップである。
本実施形態では、取得されたＡＦエリアのコントラストのピークの位置を比較して、最も至近側のピークの位置を合焦位置、このピークの位置が検出されたＡＦエリアを合焦エリアとして決定する。これは、主要被写体は至近側に配置して撮影されることが多いためである。
例えば、図１０に示す撮影シーンの場合には、ＡＦエリアの配置にもよるが、例えば、ＡＦエリアが密に多数配置設けられている場合、最も手前の被写体である被写体Ｓの手先部Ｓｈ上の位置Ｐ２を含むＡＦエリアが合焦エリアとなる。
ＡＦ制御部１６は、決定された合焦位置に焦点位置調整レンズが移動するように、レンズ駆動部１２に制御信号を送出する。これにより、撮影レンズ部３は、手先部Ｓｈに合焦する。
また、合焦位置から、撮影距離ｄが決定され、記憶部１８に記憶される。
ただし、ステップＳ２３では、合焦エリア以外のＡＦエリアにおいても合焦する被写体がある場合には、そのＡＦエリアの位置と、そこに合焦させたときの撮影距離とが記憶されている。この情報は、被写体の位置情報として利用可能である。
以上で、ステップＳ２４が終了し、図８に示すステップＳ４が終了する。
【００６４】
ステップＳ５は、ＡＥ制御部２１によって露出を決定するステップである。ＡＥ制御部２１は、測光値に基づいてプログラム線図を参照し、絞りと、シャッター速度を決定し、図示略の絞りを駆動するとともに、シャッターリリース機構にシャッター速度を設定する。
このように露出が決定したら、画像処理部１５は、ホワイトバランス調整を行う。
【００６５】
次に、図８に示すステップＳ６を行う。本ステップは顔検出を行うステップである。
顔検出は、焦点位置調整レンズが合焦位置に移動して合焦された状態の画像データを画像処理することで行われる。
画像処理部１５は、例えば、図１０に示すように、画像取得部１４から合焦後の画像データを取得すると、一定の大きさの顔検出窓Ｗｆを設定し、Ｈａａｒ−ｌｉｋｅ検出器と、多段フィルタ（カスケード）処理とを組み合わせた顔検出のアルゴリズムに基づいて、顔検出窓Ｗｆ内で顔検出を行う。顔が検出されたら顔エリアの大きさと、中心位置とを算出し、記憶部１８に記憶する。１つの顔検出窓Ｗｆ内で顔検出が終了すると、顔検出窓Ｗｆの位置を移動し、撮影範囲の全体にわたってこれを繰り返す。
さらに、顔検出窓Ｗｆの大きさを変えて、同様の処理を繰り返すことで、異なる大きさの顔を検出していく。
このようにして、例えば、図１０の撮影シーンの場合、位置Ｐ１において顔部Ｓｆを覆う顔領域Ｒが検出される。
以上で、ステップＳ６が終了する。
【００６６】
次に、ステップＳ７を行う。本ステップは、画像データ中に顔が検出されたかどうかを判定するステップである。
顔が検出された場合には、ステップＳ１０に移行する。
顔が検出されなかった場合には、ステップＳ８に移行する。
【００６７】
ステップＳ８は、色検出発光モードが有効かどうかを判定するステップである。
色検出発光モードが有効である場合には、ステップＳ９に移行する。
色検出発光モードが有効でない場合には、ステップＳ１０に移行する。
【００６８】
ステップＳ９は、画像上の色検出を行うステップである。
画像処理部１５は、色情報取得領域の画像データの色の平均値を算出し、記憶部１８に記憶する。
以上でステップＳ９が終了する。
【００６９】
ステップＳ１０は、撮影シーンの被写体情報に基づいて、放電光源部４および各ＬＥＤ光源部５の発光パラメータを設定するステップである。
ここで、発光パラメータとは、放電光源部４および各ＬＥＤ光源部５を発光または発光禁止するために設定が必要となる数値や信号である。例えば、発光の有無を選択する信号、色温度を設定する制御値または制御信号、および発光量の制御値が含まれる。
これらの発光パラメータは、発光制御部１７に設定され、シャッターボタン６が全押しされた際に、これら発光パラメータに対応する制御信号として、発光制御部１７から発光回路２０、ＬＥＤドライバ１９Ａ〜１９Ｆに送出される。
このため、発光制御部１７は、被写体情報取得部によって取得された被写体情報に基づいて、放電光源部およびＬＥＤ光源部の発光制御パラメータを生成する発光制御パラメータ生成部を構成している。
【００７０】
例えば、図１０の撮影シーンでは、撮影距離ｄに応じて、放電光源部４の発光の有無が設定される。図１０の撮影シーンの場合、撮影距離ｄは３０ｃｍ以上であるため、放電光源部４は発光する設定になっている。
各ＬＥＤ光源部５は、マニュアル設定によって発光を禁止されていない限りは発光が許可されている。
各ＬＥＤ光源部５の色温度は、顔部Ｓｆが顔検出によって検出されるため、顔検出発光モードにおける色温度が設定される。本実施形態では、顔が検出された場合には、色検出を行わないため、演算時間が短縮され、迅速な撮影が可能となる。
放電光源部４および各ＬＥＤ光源部５の発光量は、ＡＥにより決まる適正露出を実現するガイドナンバーに相当する発光量を、放電光源部４とＬＥＤ光源部５との間で分割した設定にする。この分割比は、照明光全体として適正な色温度が得られる分割比に設定する。例えば、放電光源部４の色温度が５４００Ｋ、ＬＥＤ光源部５の色温度が３５００Ｋの場合に、照明光Ｌ４の発光量と、照明光Ｌ５の発光量との比が、一例として、４：６となるように決めればよい。
ただし、照明光の色温度がマニュアル設定された場合には、照明光Ｌ４の発光量と照明光Ｌ５の発光量との比も自由に設定できるようにしておく。この比を変えることで、撮影者の好みの色味を帯びた画像を撮影することができる。例えば、照明光Ｌ４の発光量の割合を増やせは青味が強くなり、照明光Ｌ５の発光量を増やせば赤味がさらに強くなる。
以上で、ステップＳ１０が終了する。
【００７１】
次に、ステップＳ１１では、制御部１３は、シャッターボタン６が全押しされたかどうかを監視するループに入る。
シャッターボタン６が全押しされた場合には、監視ループを抜けてステップＳ１２に移行する。
【００７２】
次に、ステップＳ１２では、シャッターボタン６の全押しによって、シャッターリリースが開始されるとともに、発光制御部１７が、ステップＳ１０で設定された発光パラメータに対応する制御信号を、発光回路２０、ＬＥＤドライバ１９Ａ〜１９Ｆに送出する。これにより、シャッターが開放している間に、発光パラメータに基づいて放電光源部４および各ＬＥＤ光源部５がストロボ発光する。
これにより、例えば、図１１（ａ）に示すような画像が撮影される。
以上で、ステップＳ１２が終了する。
【００７３】
このように、本実施形態では、色温度が高い放電光源部４の照明光Ｌ４に加えて色温度が低い各ＬＥＤ光源部５からの照明光Ｌ５が混合されることにより、照明光全体としては、色温度が照明光Ｌ４の色温度と照明光Ｌ５の色温度との中間の色温度になるため、照明光Ｌ４に不足する赤色成分が補われ、肌色の再現性が向上する。このため、顔部Ｓｆ、首部Ｓｎ、手先部Ｓｈの肌色が良好に発色し、自然な印象の画像が撮影できる。また画像に温かみが加わる。
【００７４】
ここで、照明光の色温度と、被写体Ｓの色味の関係について実験した結果について説明する。
本実験例では、上記実施形態の構成において、各ＬＥＤ光源部５の赤色ＬＥＤ１０ｒ、緑色ＬＥＤ１０ｇ、青色ＬＥＤ１０ｂに流す電流値を変えて、色温度の異なる照明光を発生するようにし、放電光源部４との組合せを代えて図１０に示す撮影シーンでのテスト撮影を行った、
下記表１に実験に使用したＬＥＤ光源部５のＬＥＤの駆動に用いた電流制限抵抗（Ω）とこれに対応する電流値（ｍＡ）を示す。表中のＲ、Ｇ、Ｂは、それぞれ赤色ＬＥＤ１０ｒ、緑色ＬＥＤ１０ｇ、青色ＬＥＤ１０ｂを表す。
【００７５】
【表１】
2014219602.tif 000003
【００７６】
「ＬＥＤ１」、「ＬＥＤ２」の色温度は、それぞれ２８００Ｋ、２０００Ｋであり、いずれも放電光源部４の色温度５４００Ｋに比べてそれぞれ色温度が低い光源になっている。このような光源を構成するため、緑色ＬＥＤ１０ｇ、青色ＬＥＤ１０ｂの電流値は略同じであるが、赤色ＬＥＤ１０ｒの電流値が、「ＬＥＤ１」では相対的に低く、「ＬＥＤ２」では相対的に高くなっている。これにより、「ＬＥＤ１」は、「ＬＥＤ２」に比べると赤色成分が弱い光源になっている。
「ＬＥＤ１」は、本実施形態において、撮影距離検知発光モードにおける至近領域以外の発光時と、顔検出発光モードとにおける発光素子部５ａの色温度設定の実施例になっている。
テスト撮影は、下記表２に示す「テスト撮影１」〜「テスト撮影６」の条件で行った。
【００７７】
【表２】
2014219602.tif 000004
【００７８】
表中の「キセノン管」欄は、放電光源部４の発光の有無を表している。
表２に示すように、「テスト撮影１」は、放電光源部４および各ＬＥＤ光源部５を発光させず、ＩＳＯ感度を上げて室内光のみで撮影している。「テスト撮影２」は、放電光源部４のみを発光させた撮影である。「テスト撮影３」（「テスト撮影５」）は、「ＬＥＤ１」（「ＬＥＤ２」）のみを発光させた撮影である。「テスト撮影４」（「テスト撮影６」）は、放電光源部４に加えて「ＬＥＤ１」（「ＬＥＤ２」）を発光させた撮影である。
各撮影では、プログラムＡＥによって露出が揃えられている。
【００７９】
下記表３に撮影画像のうちカラーチャート２３上の赤色チャート部２３Ｒ、緑色チャート部２３Ｇ、青色チャート部２３Ｂの画像データを平均し、そのＲＧＢ成分のデータ値（「R data」、「G data」、「B data」）を示す。各データ値は、各色成分の８ビットの階調データであり、０〜２５５の値を取る。
【００８０】
【表３】
2014219602.tif 000005
【００８１】
上記表３において、「テスト撮影１」と「テスト撮影２」との測定結果を比較すると、
緑色チャート部２３Ｇ、青色チャート部２３Ｂのデータ値の差は０〜１６と小さく、赤色チャート部２３Ｒの緑色成分、青色成分の間でも３〜６と小さい。しかし、赤色チャート部２３Ｒの赤色成分では、「テスト撮影２」の方が３０も低くなっており、「キセノン管」のみの照明では、室内光のみの撮影に比べると、赤色チャート部２３Ｒの再現性が低下していることが分かる。
実際の見え方としては、特に被写体Ｓの肌色がくすんで暗くなっていた。
【００８２】
「テスト撮影１」と、「テスト撮影３」および「テスト撮影５」との測定結果を比較すると、各色成分ともデータ値が上がっているが、特に、青色チャート部２３Ｂでの青色成分の増大し、各色チャート部において赤色成分が顕著に増大していることが分かる。赤色チャート部２３Ｒの赤色成分は２５５になっている。ただし、「テスト撮影６」の結果を参照すると、飽和光量に達している可能性が高く、実際の照明光の赤色成分はより強いと考えられる。
「テスト撮影３」と「テスト撮影５」との比較では、赤色ＬＥＤ１０ｇの電流値の相違に対応して、各赤色成分において、「テスト撮影５」の方が「テスト撮影３」のデータ値を上回っている。
実際の画像の見え方としては、「テスト撮影３」および「テスト撮影５」では、全体として明るいものの、色調が明らかに赤みを帯びていた。特に、「テスト撮影５」の画像は、赤色フィルタを使用したような画像であった。
青色に関しては、青色チャート部が２３Ｂよりくっきり見える程度の差であり、画像全体の色調にはあまり影響していなかった。
【００８３】
「テスト撮影４」と「テスト撮影３」との測定結果を比較すると、各色チャート部において、緑色成分および青色成分のデータ値は、あまり変化がないが、「キセノン管」の照明光が混じることにより、赤色チャート部２３Ｒにおいて赤色成分のデータ値が２４８から２０２に低減され、「テスト撮影１」の場合の１８０よりも増大している。このため、「テスト撮影２」と比べると赤色成分の不足が補われ、「テスト撮影１」よりも赤みが改善されていることが分かる。
実際の画像の見え方としては、「テスト撮影４」は、「テスト撮影３」のような画面全体の赤みが消えて自然な印象であり、「テスト撮影１」と比べると、データ値が大きい分だけ、明るく、赤系統の色が鮮やかで温かみが感じられる色合いになっていた。
特に、被写体Ｓの肌色部分の発色が良好で「テスト撮影１」よりも人物が引き立つ画像になっていた。
【００８４】
「テスト撮影６」と「テスト撮影５」との測定結果を比較すると、各色チャート部において、全般にデータ値が減少しており、「テスト撮影３」の測定結果に近くなっている。  実際の画像の見え方としては、「テスト撮影５」の全体的な赤みが低減され、「テスト撮影３」の画像とよく似た画像になっていた。
【００８５】
このように、放電光源部４の照明光に、赤色成分を増大させて色温度を低減したＬＥＤ光源部５の照明光を加えることで、撮影シーンや被写体の色調を生かした自然で温かみのある画像が撮影できることが分かる。
【００８６】
また、本撮影例では、各ＬＥＤ光源部５は、撮影光軸Ｏ３を中心とする円周上に配置されているため、被写体Ｓには、それぞれ異なる多方向からの照明光Ｌ５が照射されるため、影や、正反射によるてかりや白飛びが抑制される。
例えば、図１２（ｂ）に示す比較例のように、放電光源部４のみを発光させて照明光Ｌ４を照明に用いると、照明光Ｌ４によって、顔部Ｓｆに対して向かって左側の後方に延びる影Ｋ４が形成される。この場合に撮影されず画像は、図１１（ｂ）に示すように、背景壁２２に投影された影Ｋ４によって、被写体Ｓに対して向かって左側に影画像Ｄ３が現れる。影画像Ｄ３は、コントラストが強く、暗い画像として、被写体Ｓの周囲を縁取るように形成されるため、不自然な画像になっている。
【００８７】
一方、本実施形態の撮影例では、放電光源部４の照射光軸Ｏ４から離間した照射光軸を有する複数のＬＥＤ光源部５からの照明光が影Ｋ４の領域に重なることになる。例えば、図１２（ａ）に示すように、撮影光軸Ｏ３を挟んで照射光軸Ｏ４と反対側に照射光軸Ｏ５Ｂを有するＬＥＤ光源部５Ｂからの照明光Ｌ５Ｂは、影Ｋ４に交差して、顔部Ｓｆの裏側に回り込むため、影Ｋ４の一部に入射し、照明光Ｌ５Ｂが重なる範囲の影Ｋ５Ｂは、影Ｋ４よりも暗さが緩和される。このため、図１１（ａ）に示すように、顔部Ｓｆに対して向かって左側には、影画像Ｄ４よりもコントラストが低く、より明るい影画像Ｄ３が形成される。
また、図１２（ａ）に示すように、照明光Ｌ５Ｂは、顔部Ｓｆに対して向かって右側では顔部Ｓｆの右斜め後方に延びる影を形成するが、その範囲には、照明光Ｌ４、Ｌ５Ｆが照射されている。このため、照明光Ｌ５Ｂのみによって形成される影に比べて暗さが緩和された影Ｋ５Ｆが形成されている。これにより、図１１（ａ）に示すように、顔部Ｓｆに対して向かって右側には、影画像Ｄ４よりもコントラストが低く、より明るい影画像Ｄ２が形成される。
【００８８】
同様にして、他のＬＥＤ光源部５もそれぞれ被写体Ｓの周囲に、影画像Ｄ３よりもコントラストが低く、より明るい影画像を形成するため、被写体Ｓを周囲の不自然さが格段に低減される。特に、本実施形態では、各ＬＥＤ光源部５が撮影光軸Ｏ３を中心とする円周上に配置されることで疑似的なリング光源が構成されているため、影画像が等方的に緩和される。これにより無影状態に近い照明が可能である。
【００８９】
このように本実施形態では、ＬＥＤ光源部５を発光させることにより、被写体Ｓの周囲に不自然な影画像を低減して、照明光が「硬い」印象になるのを抑制できるため、より自然な画像を撮影することができる。
【００９０】
次に、他の撮影例におけるカメラ１の動作について説明する。
図１３（ａ）、（ｂ）は、本発明の第１の実施形態の撮影装置による他の撮影例の被写体を示す模式図、および被写体の色検出動作を説明する動作説明図である。
【００９１】
本撮影例は、図１３（ａ）に示すように、被写体として、リンゴＳａとバナナＳｂとが、茶色のテーブルＳｔ上の白い皿Ｓｄに載せられた静物を接写撮影する撮影例である。
本撮影例では、リンゴＳａおよびバナナＳｂが食欲をそそるような画像を撮影することが好ましい。しかし、従来技術のような放電光源部４のみの撮影では、リンゴＳａの赤色の再現性が悪くなり、かつ接写であるために、白飛びのおそれもある。
カメラ１では、色検出発光モードを有効にした上記と同様の「オート発光」モードにおいて、このような問題が生じない画像の撮影が可能である。
撮影動作は、上記撮影例と同様、図８に示すフローにしたがって、ステップＳ１〜Ｓ１２を実行する。以下では、上記の説明と異なる点を中心に説明する。
【００９２】
本撮影例におけるステップＳ１〜Ｓ７は、上記のステップＳ１〜Ｓ７とまったく同様のステップである。
ただし、ステップＳ４では、図１３（ｂ）に示すように、位置Ｐ３におけるリンゴＳａに合焦する。このとき、撮影距離ｄは、例えば、ｄ＝２５（ｃｍ）とする。
また、図１３（ａ）に示す撮影シーンでは、顔を有する被写体が存在しないため、ステップＳ７の次には、ステップＳ９に移行する。
【００９３】
ステップＳ９では、画像処理部１５によって予め設定された色情報計算領域ＷＣ（図１３（ｂ）参照））の画像データを平均し、そのＲＧＢデータを取得する。
以上で、ステップＳ９が終了する。
【００９４】
ステップＳ１０では、発光制御部１７によって、発光パラメータの設定を行う。
発光制御部１７は、記憶部１８を参照して、撮影距離ｄが３０ｃｍ未満であることから、放電光源部４の発光を禁止する。
また、発光制御部１７は、記憶部１８に記憶された、ステップＳ９で取得したＲＧＢデータと、色検出発光モードに用いるテーブル等とを参照して、各ＬＥＤ光源部５の色温度の設定を行う。
また、記憶部１８に記憶された露出から、ＬＥＤ光源部５の発光量を決定する。
以上で、ステップＳ１０が終了する。
【００９５】
次に、シャッターボタン６の全押しの監視ループに入り、シャッターボタン６が全押しされれば、ステップＳ１２が行われ、撮影が行われる。
撮影画像は特に図示しないが、ＬＥＤ光源部５は、リンゴＳａの色情報に基づいて、設定された色温度で発光するため、例えば、「ノーマルモード」が選択されている場合には、リンゴＳａが忠実に色再現される画像が撮影され、「鮮やかモード」が選択されている場合には、リンゴＳａの大部分を占める赤色が強調された画像が撮影される。
また、バナナＳｂに合焦した場合には、バナナＳｂの色情報に基づいて、黄色が忠実に色再現される、または黄色が強調された画像が撮影される。
【００９６】
このような色検出発光モードを用いた撮影は、一定の色味を帯びた被写体を接写する場合に特に効果的な照明を自動的に設定することができる。
また、本撮影例の発光パラメータでは、放電光源部４は発光しないため、接写であっても、調光不良による白飛びが生じることはない。
また、ＬＥＤ光源部５は、疑似的なリング光源であるため、上記撮影例と同様に、被写体の影が低減される。
【００９７】
以上、説明したように、本実施形態のカメラ１によれば、被写体情報取得部である画像処理部１５、ＡＦ制御部１６が取得した被写体情報に応じて、放電光源部４による照明光Ｌ４とＬＥＤ光源部５による照明光Ｌ５とを選択して用いることができるため、撮影用の照明光による画像の不自然さを容易に低減することができる。
【００９８】
［第１変形例］
次に、本実施形態の第１変形例の撮影装置について説明する。
図１４（ａ）、（ｂ）は、本発明の第１の実施形態の第１変形例の撮影装置に用いるＬＥＤの配置構成の一例および他例を示す模式的な正面図である。図１５は、図１４（ａ）におけるＤ−Ｄ断面図である。
【００９９】
図１に示すように、本変形例のカメラ３１（撮影装置）は、上記第１の実施形態のカメラ１の各ＬＥＤ光源部５に代えて、それぞれＬＥＤ光源部３５を備える。
各ＬＥＤ光源部３５は、上記第１の実施形態の発光素子部５ａに代えて、図１４（ａ）に示す発光素子部３５ａを備える。
以下、上記第１の実施形態と異なる点を中心に説明する。
【０１００】
発光素子部３５ａは、図１４（ａ）に示すように、上記第１の実施形態の発光素子部５ａの赤色ＬＥＤ１０ｒ、緑色ＬＥＤ１０ｇ、青色ＬＥＤ１０ｂに代えて、白色ＬＥＤ３０ａ、３０ｂ、３０ｃ（ＬＥＤ）を備える。
白色ＬＥＤ３０ａ、３０ｂ、３０ｃの配列は、矩形状領域内に２次元格子状に配列されていれば、特に限定されない。図１４（ａ）では、互いに異なる種類同士が隣接するように配置しているが、同種のものが隣接するように配列してもよい。
白色ＬＥＤ３０ａ、３０ｂ、３０ｃの違いは色温度の違いである。本実施形態では、一例として、それぞれの色温度を２０００Ｋ、５４００Ｋ、７０００Ｋとしている。
このため、発光素子部５ａでは、白色ＬＥＤ３０ａ、３０ｂ、３０ｃの発光量を、０から最大値までの間の適宜値に変化させるとともに、発光個数を制御することで、ＬＥＤ光源部３５から出射される照明光の色温度および発光量を変更することが可能である。
例えば、照明光の色温度は、２０００Ｋから１００００Ｋまで段階的に変更できるようになっている。
このように、発光素子部３５ａは、照明光の色温度が変更可能な色温度可変光源になっている。
【０１０１】
白色ＬＥＤ３０ａ、３０ｂ、３０ｃの構成の一例について、図１５に示す白色ＬＥＤ３０ａ、３０ｂの例で説明する。
白色ＬＥＤ３０ａは、回路基板９上でバンク部３４に囲まれた矩形領域の内部に、青色光を発光する複数の青色ＬＥＤチップ３２がダイボンド材３３を介して固定され、そのチップ面上を覆うように蛍光材料３７Ａが積層されている。
また、各青色ＬＥＤチップ３２は、互いにボンディングワイヤ３６によって接続されるとともに、電流を供給するためバンク部３４内に配線された金属配線３８ともボンディングワイヤ３６を介して接続されている。
蛍光材料３７Ａは、青色光を照射すると黄色光が誘起される特性を有するものを採用している。
このため、青色ＬＥＤチップ３２に電流が供給され青色光が発生すると、一部の青色光が蛍光材料３７Ａを透過し、その他の青色光が蛍光材料３７Ａに当たって黄色光を誘起するため、これらが混色して白色光が出射される。
ここで、白色ＬＥＤ３０ａの色温度は、青色光と黄色光との発生比率によって決まるため、青色ＬＥＤチップ３２上に積層される蛍光材料３７Ａの厚さｔ１によって変化する。
本実施形態では、厚さｔ１は、色温度が２０００Ｋになるように予め調整されている。
【０１０２】
白色ＬＥＤ３０ｂは、白色ＬＥＤ３０ａの蛍光材料３７Ａに代えて青色ＬＥＤチップ３２上の厚さがｔ１よりも薄いｔ２である蛍光材料３７Ｂを備える点のみが、白色ＬＥＤ３０ａと異なる。本実施形態では、厚さｔ２は、色温度が５４００Ｋになるように予め調整されている。
また、特に図示しないが、同様にして、白色ＬＥＤ３０ｃは、青色ＬＥＤチップ３２上に、色温度が７０００Ｋになるように予め調整された厚さを有する蛍光材料が積層されている。
【０１０３】
なお、白色ＬＥＤ３０ａ、３０ｂ、３０ｃは、それぞれのバンク部３４内の青色ＬＥＤチップ３２の個数を変更することにより、それぞれの発光量を変化させることができる。このため、１個当たりの青色ＬＥＤチップ３２を増加することで、発光素子部５ａと同等の発光量を有する３個の白色ＬＥＤ３０ａ、３０ｂ、３０ｃを形成することも可能である。
したがって、本実施形態の発光素子部３５ａに代えて、図１４（ｂ）に示すような白色ＬＥＤ３０ａ、３０ｂ、３０ｃがそれぞれ１個ずつ配置された発光素子部３５ｂを採用することも可能である。
また、図示は省略するが、発光素子部３５ａの各白色ＬＥＤ３０ａ、３０ｂ、３０ｃにおいて、青色ＬＥＤチップ３２がそれぞれ１個からなる構成も可能である。
【０１０４】
本変形例のカメラ３１によれば、制御部１３の発光制御部１７によって、白色ＬＥＤ３０ａ、３０ｂ、３０ｃの発光量をそれぞれ個別に制御することにより、照明光の色温度を変更することができる。このため、上記第１の実施形態のカメラ１と同様に撮影用の照明光による画像の不自然さを容易に低減することができる。
【０１０５】
［第２変形例］
次に、本実施形態の第２変形例の撮影装置について説明する。
図１６は、本発明の第１の実施形態の第２変形例の撮影装置の概略構成を示す模式的な斜視図である。
【０１０６】
図１６に示すように、本変形例のカメラ４１（撮影装置）は、上記第２変形例のカメラ４１のＬＥＤ光源部４５Ａ〜４５Ｆに代えて、放電光源部４４、ＬＥＤ光源部４５Ａ、４５Ｂ、４５Ｃ、４５Ｄ（「４５Ａ〜４５Ｆ」と略記する場合がある）を備える。
以下、上記第１の実施形態と異なる点を中心に説明する。
【０１０７】
放電光源部４４は、上記第１の実施形態の放電光源部４とまったく同様の構成を有し、前面部２Ｆにおける配置位置のみが異なる。
放電光源部４４は、本体部２において上面部２Ｕと撮影レンズ部３との間となる筐体２ａの内部に内蔵されており、その照射光軸Ｏ４４が、撮影レンズ部３の撮影光軸Ｏ３の上方において撮影光軸Ｏ３と平行に延びるように配置されている。
【０１０８】
ＬＥＤ光源部４５Ａ〜４５Ｄは、それぞれ上記第１の実施形態のＬＥＤ光源部５とまったく同様の構成を有し、前面部２Ｆにおける配置位置のみが異なる。
ＬＥＤ光源部４５Ａ〜４５Ｄの配置位置は、前面部２Ｆ上で撮影レンズ部３を囲み、本体部２の外形に各辺が平行な矩形の各頂点の位置である。
ＬＥＤ光源部４５Ａ、４５Ｂは、本体部２に対する向かって左側においてそれぞれ上側、下側に配置され、ＬＥＤ光源部４５Ｃ、４５Ｄは、本体部２に対する向かって右側においてそれぞれ上側、下側に配置されている。
ＬＥＤ光源部４５Ａ〜４５Ｄの照射光軸Ｏ４５Ａ、Ｏ４５Ｂ、Ｏ４５Ｃ、Ｏ４５Ｄは、本変形例では、いずれも撮影光軸Ｏ３と平行であり、等距離だけ離間されている。
このため、ＬＥＤ光源部４５Ａ〜４５Ｄは、撮影光軸Ｏ３を中心とする円周上に配列されている。また、ＬＥＤ光源部４５Ａ〜４５Ｄは、撮影光軸Ｏ３を通る上下、左右に延びる対称軸に対して線対称な位置に配置されている。
【０１０９】
本変形例のカメラ４１によれば、ＬＥＤ光源部４５Ａ〜４５Ｄの配置位置、個数と、放電光源部４４の配置位置が異なるだけで、上記第１の実施形態のカメラ１と同様に撮影用の照明光による画像の不自然さを容易に低減することができる。
特に、本変形例では、放電光源部４４の照射光軸Ｏ４４が撮影光軸Ｏ３の真上に設けられ、照射光軸Ｏ４４および撮影光軸Ｏ３を通る平面に関して対称な位置に、ＬＥＤ光源部４５Ａ、４５ＢとＬＥＤ光源部４５Ｃ、４５Ｄとが配置されている。
このため、撮影フレームの中心に位置する場合が多い主要被写体に関しては、放電光源部４４により影が左右略均等に発生することになり、放電光源部４４の左右方向に離間して配置されたＬＥＤ光源部４５Ａ、４５ＢとＬＥＤ光源部４５Ｃ、４５Ｄとを発光させることで、このような影を効率よく低減することができる。
【０１１０】
［第３変形例］
次に、本実施形態の第３変形例の撮影装置について説明する。
図１７は、本発明の第１の実施形態の第３変形例の撮影装置の概略構成を示す模式的な斜視図である。
【０１１１】
図１７に示すように、本変形例のカメラ５１（撮影装置）は、上記第２変形例のカメラ４１のＬＥＤ光源部４５Ａ〜４５Ｄに代えて、ＬＥＤ光源部５５Ｒ、５５Ｌを備える。
以下、上記第１の実施形態および第２変形例と異なる点を中心に説明する。
【０１１２】
ＬＥＤ光源部５５Ｒ、５５Ｌは、図１７（ａ）に示すように、上面部２Ｕにおいて前面部２Ｆの方から見てそれぞれ向かって右側、左側となる位置に、互いに間をあけて配置されている。
本実施形態では、ＬＥＤ光源部５５Ｒ、５５Ｌは、それぞれ同様の構成を有しており、円筒状筐体５５ａの内部に、上記第１の実施形態と同様の発光素子部５ａを備え、発光素子部５ａからの照明光が、円筒状筐体５５ａの側面から放射可能になっている。
特に図示しないが、各発光素子部５ａは、上記第１の実施形態と同様な反射板５ｄ、投光窓５ｃを備え、これにより、円筒状筐体５５ａの中心軸線に直交する方向に照射光軸Ｏ５５Ｒ、Ｏ５５Ｌが形成されている。
【０１１３】
各円筒状筐体５５ａは、図示略の本体部２内の保持構造によって、上面部２Ｕ上に進退可能、かつ各円筒状筐体５５ａの中心軸線を中心として回転可能に保持されている。
円筒状筐体５５ａを上面部２Ｕ上に進退可能に保持する保持構造の例としては、円筒状筐体５５ａを下方から付勢するばね部材等の弾性部材と、上面部２Ｕ上に突出したポップアップ状態（図１７（ａ）参照）と、本体部２の内側に格納された格納状態（図１７（ｂ）参照）とを切り替え可能に固定するロック機構とを有する構成を挙げることができる。
この場合、ロック機構はカムなどを利用して、円筒状筐体５５ａの押し込み動作を繰り返すことで、格納状態のロックとロック解除とが行えるようにすることができる。
円筒状筐体５５ａがポップアップ状態のとき、円筒状筐体５５ａを回転  なせる保持構造の例としては、回転ラッチを手動で動かす構成や、円筒状筐体５５ａをモータで回転可能に支持して、本体部２の操作部８によって回転位置を設定する構成などの例を挙げることができる。
【０１１４】
このような構成によれば、ＬＥＤ光源部５５Ｒ、５５Ｌをポップアップ状態としてから、ＬＥＤ光源部５５Ｒ、５５Ｌを適宜回転させることにより、照射光軸Ｏ５５Ｒ、Ｏ５５Ｌの向きを変更することができる。このため、照射光軸Ｏ５５Ｒ、Ｏ５５Ｌ同士のなす角度、あるいは、照射光軸Ｏ５５Ｒ（Ｏ５５Ｌ）と撮影光軸Ｏ３とのなす角度を、変更することが可能である。
このため、撮影者は、撮影シーンにおける被写体の位置に応じて、照射光軸Ｏ５５Ｒ（Ｏ５５Ｌ）の向きを変えることで、被写体が、撮影フレームの中心から外れた位置に配された場合でも、放電光源部４４によって生じる影を効率的に低減することができる。
また、照射光軸Ｏ５５Ｒ（Ｏ５５Ｌ）の向きを、例えば、被写体を囲む壁に向けることで、バウンス撮影を行うこともできる。
この場合、ＬＥＤ光源部５５Ｒ（５５Ｌ）からの照明光が被写体に直接照射されることがないため、より自然な照明光が得られる。
また、バウンス光の方向を調整することで、被写体に生じる影の抑制がより容易となる。さらにバウンス光によって、意図的な陰影を形成した撮影を行うこともできる。
【０１１５】
また、ＬＥＤ光源部５５Ｒ（５５Ｌ）からの照明光は、撮影シーン内の特定位置の被写体を特定の色温度で照明するスポットライトの用途に用いることもできる。
【０１１６】
［第２の実施形態］
次に、本発明の第２の実施形態の撮影装置について説明する。
図１８（ａ）、（ｂ）は、本発明の第２の実施形態の概略構成を示す模式的な斜視図である。図１９は、図１８（ｂ）におけるＥ視図である。図２０は、本発明の第２の実施形態の撮影装置の制御部の機能構成を示す機能ブロック図である。
【０１１７】
図１８（ａ）に示すように、本実施形態のカメラ６０（撮影装置）は、上記第１の実施形態のカメラ１がコンパクトデジタルカメラであったのに対して、被写体の静止画像または動画像を撮像する１眼レフのデジタルカメラである点が異なる。
以下では、上記第１の実施形態と異なる点を中心に説明する。
【０１１８】
カメラ６０は、被写体の像を取得する撮影光学系である撮影レンズ部６３（撮影部）と、撮影レンズ部６３が装着され撮影レンズ部６３による被写体の像を撮像素子１１（撮影部、図２０参照）で撮像するカメラ本体６１（撮像装置本体）と、カメラ本体６１に着脱可能に設けられたストロボユニット６２とを備える。
【０１１９】
カメラ本体６１は、矩形状の前面部６１Ｆと、前面部６１Ｆの長辺の一方に隣接する上面部６１Ｕと、上面部６１Ｕを挟んで前面部２Ｆと対向する背面部６１Ｂとを有する略直方体状の筐体６１ａに覆われている。
前面部６１Ｆの略中心部には、撮影光軸Ｏ６３が前面部６１Ｆの前方に延びるように、撮影レンズ部６３が設けられている。撮影レンズ部６３は、複数のレンズまたはレンズ群から構成される交換レンズであり、可動支持された少なくとも１つのレンズまたはレンズ群（以下、焦点位置調整レンズと称する）によって、焦点位置の調整が可能である。
焦点位置調整レンズは、撮影レンズ部６３またはカメラ本体６１に内蔵されたモータなどからなるレンズ駆動部６２（図１９参照）によって、移動可能に保持されている。
【０１２０】
上面部６１Ｕには、上記第１の実施形態と同様のシャッターボタン６と、上記第１の実施形態と同様の構成を有する放電光源部４を保持するため上面部６１Ｕの略中央でペンタプリズムを内蔵する突状部６１ｄに配置された内蔵ストロボ保持部６１ｂと、ホットシュー６１ｃとが設けられている。
【０１２１】
内蔵ストロボ保持部６１ｂは、図１８（ａ）に示す起立状態と、図１８（ｂ）に示す格納状態とが切り替え可能となるように、図示略の回転支持部、付勢部材、およびロック機構を介して筐体６１ａに固定されている。
内蔵ストロボ保持部６１ｂは、起立状態では、放電光源部４の照射光軸Ｏ４が撮影光軸Ｏ６３と平行になる位置にロックされ、格納状態では、起立状態から前方に倒されて放電光源部４の投光窓４ｂが下方を向いて上面部６１Ｕに形成された凹部に嵌り込む位置にロックされる。
また、上面部６１Ｕにおいて、突状部６１ｄの背後には、ストロボユニット６２をカメラ本体６１内の図示略の制御手段と通信可能に接続するホットシュー６１ｃと、撮影モードなど設定するモードダイヤル６８ａとが設けられている。
背面部６１Ｂには、図１９に示すように、上記第１の実施形態と同様の液晶モニタ７、選択ボタン８ａ、十字ボタン８ｂ、および操作ボタン８ｃが設けられている。
これら、モードダイヤル６８ａ、選択ボタン８ａ、十字ボタン８ｂ、操作ボタン８ｃは、カメラ６０の操作部８を構成している。
【０１２２】
ストロボユニット６２は、図１８（ｂ）に示すように、カメラ本体６１に装着したとき上面部６１Ｕの長手方向（左右方向）に沿って延びる直方体状の筐体６２ａと、カメラ本体６１に装着したとき前方を向く側面に配置されたＬＥＤ光源部６２Ｒ、６２Ｍ、６２Ｌ（「６２Ｒ〜６２Ｌ」と略記する場合がある）と、筐体６２ａの下面から突出された接続部６２ｂとを備える。
【０１２３】
ＬＥＤ光源部６２Ｒ、６２Ｍ、６２Ｌは、いずれも上記第１の実施形態のＬＥＤ光源部５と同様な構成を有し、筐体６２ａの長手方向に沿って、この順に離間して配置されている。
ストロボユニット６２がカメラ本体６１に装着された際に、ＬＥＤ光源部６２Ｍの照射光軸Ｏ６２Ｍは、起立状態の内蔵ストロボ保持部６１ｂの上方において、撮影光軸Ｏ３の真上となる位置で撮影光軸Ｏ３と平行に延ばされている。照射光軸Ｏ６２Ｍ、撮影光軸Ｏ３、および起立状態の放電光源部４の照射光軸Ｏ４は、同一平面上に整列している。
また、ＬＥＤ光源部６２Ｒ、６２Ｌは、それぞれ前面部６１Ｆに対して向かって右側、左側となる位置に設けられ、それぞれの照射光軸Ｏ６２Ｒ、Ｏ６２Ｌは、照射光軸Ｏ６２Ｍから等距離かつ平行となるように位置している。
【０１２４】
ここで、カメラ６０の電装部の構成について説明する。
カメラ６０の電装部は、図２０に示すように、以上に説明したＬＥＤ光源部６２Ｒ〜６２Ｌ等の電装部の他に、撮影レンズ部６３で撮影された像を光電変換する上記第１の実施形態と同様の撮像素子１１と、ＬＥＤ光源部６２Ｒ、６２Ｍ、６２Ｌをそれぞれ駆動するＬＥＤドライバ１９Ｒ、１９Ｍ、１９Ｌ（「１９Ｒ〜１９Ｌ」と略記する場合がある）と、上記第１の実施形態と同様の発光回路２０と、制御部６５と、ＡＦセンサ６７（被写体情報取得部）と、測光を行いプログラム線図に基づいて露出を決定するＡＥ制御部６８とを備える。なお、図示簡略化のため、図２０では、ＬＥＤ光源部６２Ｍと、これに対応するＬＥＤドライバ１９Ｃとの図示は省略している。
【０１２５】
ＬＥＤドライバ１９Ｒ〜１９Ｌは、それぞれ、上記第１の実施形態のＬＥＤドライバ１９Ａ等とまったく同様の構成を有し、ストロボユニット６２の筐体６２ａに内蔵されている。
【０１２６】
制御部６５は、操作部８からの操作入力に応じてカメラ６０の各部の動作条件を設定し、操作部８またはシャッターボタン６の半押しまたは全押しの操作に応じて、ＡＦ動作、放電光源部４およびＬＥＤ光源部６２Ｒ〜６２Ｌの発光制御、撮像動作等を含む撮影動作全般の制御を行うものである。
操作部８から設定可能な動作モードには、放電光源部４およびＬＥＤ光源部６２Ｒ〜６２Ｌの発光モードが含まれる。
制御部６５は、上記第１の実施形態の制御部１３のＡＦ制御部１６に代えて、ＡＦ制御部６６（被写体情報取得部）を備える。
ＡＦ制御部６６は、シャッターボタン６の半押しによって開始されるＡＦ動作の制御を行うものである。ただし、上記第１の実施形態のＡＦ制御部１６が画像コントラストを演算し、山登り法によって合焦位置を算出するのに対して、カメラ本体に内蔵され、複数のＡＦターゲットを構成する複数のＡＦセンサ６７を用いてＡＦ制御を行う点が異なる。
すなわち、ＡＦ制御部６６は、シャッターボタン６が半押しされると、各ＡＦセンサ６７の出力から、各ＡＦターゲットの合焦状態を判定し、この合焦状態の組合せに基づいて合焦位置を算出し、撮影レンズ部６３の焦点位置調整レンズの移動量を算出する。そして、この移動量に基づいてレンズ駆動部６２を駆動することで合焦を行う。
ＡＦセンサ６７としては、位相差検出を行うラインセンサやクロスセンサを採用することができる。
合焦位置は、撮影範囲におけるカメラ６０から被写体までの距離の情報を表しているため、後述する発光制御部１７によって発光制御に用いることが可能である。このため、ＡＦ制御部６６、ＡＦセンサ６７は、被写体の位置情報を被写体情報として取得する被写体情報取得部を構成している。
【０１２７】
このような制御部６５の装置構成は、本実施形態では、ＣＰＵ、メモリ、入出力インターフェースなどを備えるコンピュータを採用している。
【０１２８】
このように、カメラ６０は、カメラ本体６１にストロボユニット６２を装着することにより、上記第１の実施形態と同様の発光素子部５ａを備えるＬＥＤ光源部６２Ｒ〜６２Ｌと、上記第１の実施形態と同様の放電光源部４と、上記第１の実施形態と同様の発光制御部１７と、被写体情報取得部として、ＡＦ制御部６６、ＡＦセンサ６７、および上記第１の実施形態と同様の画像処理部１５を備える。
このため、１眼レフである点、ＬＥＤ光源部の個数と配置位置とが異なり、着脱可能である点を除くと、上記第１の実施形態と同様な撮影装置になっている。
したがって、上記と同様にして、撮影距離検知発光モード、顔検出発光モード、および色検出発光モードを有効にした照明を用いた撮影が可能である。
【０１２９】
これにより、本実施形態のカメラ６０によれば、被写体情報取得部である画像処理部１５、ＡＦ制御部６６、ＡＦセンサ６７が取得した被写体情報に応じて、放電光源部４による照明光とＬＥＤ光源部６２Ｒ〜６２Ｌによる照明光とを選択して用いることができるため、撮影用の照明光による画像の不自然さを容易に低減することができる。
また、ＬＥＤ光源部６２Ｒ〜６２Ｌを発光させることにより、被写体の周囲に不自然な影画像を低減して、照明光が「硬い」印象になるのを抑制できるため、より自然な画像を撮影することができる。
【０１３０】
なお、上記の各実施形態、各変形例の説明では、撮影装置のＬＥＤ光源部が６個、４個、３個の場合の例で説明したが、ＬＥＤ光源部は、これ以外の複数個でもよいし、１個でもよい。
【０１３１】
上記の各実施形態、各変形例の説明では、発光制御部１７が、被写体情報取得部が取得した被写体情報を判断して、発光制御パラメータを生成するとともに、生成された発光制御パラメータによる動作制御を行う場合の例で説明した。
しかし、発光制御部１７は、生成した発光制御パラメータによる発光設定を撮影者が認識できるように液晶モニタ７に表示し、操作部８を通じて、撮影者がこの設定を選択した場合のみ、この発光設定で撮影が行われるようにしてもよい。撮影者がこの発光設定を採用しなかった場合には、マニュアル設定による発光設定が可能である。
この場合、液晶モニタ７に表示する発光設定は、例えば、発光制御パラメータを数値や言葉で表すことが可能である。また、発光制御パラメータに基づく発光動作が撮影者に分かり易い情報になっているとより好ましい。例えば、「被写体に顔が検出されました。人物撮影用のストロボ発光をしますか？」、「主要被写体は赤色です。鮮やかモードで発光しますか？」と言った文章のメッセージや、発光設定ごとに決められたアイコンなどを液晶モニタ７に表示させることが可能である。
このような構成の場合、液晶モニタ７は、発光制御パラメータ生成部によって生成されたる発光制御パラメータに基づく発光設定を表示する発光設定表示部を構成している。
【０１３２】
上記の各実施形態、第１、第２変形例の説明では、複数のＬＥＤ光源部の照射光軸がいずれも、撮影光軸に平行になるように、固定されている場合の例で説明したが、ＬＥＤ光源部の照射光軸の向きは、撮影光軸と平行であることは必須ではない。例えば、各ＬＥＤ光源部の照射光軸の向きを、撮影光軸を中心とする放射状に配置してもよい。
この場合、各ＬＥＤ光源部の照明範囲は、撮影フレーム内の全体を覆うことは必須ではなく、撮影フレームの一部を照明する複数のＬＥＤ光源部の照明領域が重ね合わされることで、撮影フレームの全体が照明されるようにしてもよい。
【０１３３】
また、上記の第３変形例の説明では、ＬＥＤ光源部の照射光軸を回転して、放電光源部に対する互いの照射光軸の沿う相対的な方向を変更する場合の例で説明したが、ＬＥＤ光源部の照射光軸を装置本体部に対して固定し、放電光源部を可動に保持することで、放電光源部の照射光軸の向きを変化させることによって、相対的な方向を変更してもよい。
例えば、上記第２の実施形態の内蔵ストロボ保持部６１ｂの起立状態の姿勢が可変できるようにすることで、放電光源部４の照射光軸を変更できるようにしてもよい。
【０１３４】
また、上記の第３変形例の説明では、照射光軸の変更は、上記第３変形例のような、上下方向に延びる回転軸線回りに照射光軸を回転させて変更する形態（水平面内の回転）には限定されない。例えば、上下方向に延びる軸線に対して照射光軸を傾けて変更する形態（垂直面内の回転）も可能である。
また、水平面内および垂直面内の回転を組み合わせて照射光軸の向きを変えることも可能である。このような構成によれば、照射光軸の向きを変える自由度が増えるため、種々の撮影シーンにおけるバウンス撮影がより容易となる。
【０１３５】
また、上記第３変形例の説明では、ＬＥＤ光源部の照射光軸の方向を変更する場合に、回転移動によってＬＥＤの向きを変更する場合の例で説明したが、ＬＥＤの向きを固定した状態で照射光軸の方向を変えてもよい。
例えば、反射板５ｄを移動させることにより、照射光軸を変更したり、投光窓５ｃがレンズで構成される場合に、投光窓５ｃの光軸の方向を変更したりすることによって、照射光軸の向きを変えてもよい。
【０１３６】
また、上記の各実施形態、各変形例の説明では、撮影装置がコンパクトデジタルカメラまたは１眼レフデジタルカメラの場合の例で説明したが、撮影装置としては、被写体を撮影する装置であれば、特に限定されず、例えば、ミラーレス一眼カメラでもよいし、ビデオカメラでもよい。さらに、撮影装置は、撮像素子で画像を撮像する装置には限定されず、アナログカメラなどであってもよい。
【０１３７】
また、上記第２の実施形態では、カメラ本体６１に放電光源部４が、着脱可能なストロボユニット６２にＬＥＤ光源部６２Ｒ〜６２Ｆが設けられた場合の例で説明したが、放電光源部４をストロボユニット６２に移動した構成として、カメラ本体６１に照明部を設けない構成としてもよい。また、ストロボユニット６２に放電光源部４と別の放電光源部を設け、カメラ６０が放電光源部を複数有する構成としてもよい。
【０１３８】
また、上記の各実施形態、各変形例で説明したすべての構成要素は、本発明の技術的思想の範囲で適宜組み合わせたり、削除したりして実施することができる。
例えば、ＬＥＤ光源部の照射光軸の向きを変えられるようにする場合、複数のＬＥＤ光源部の一部のみが、照射光軸の向きを変えられるようになっている構成も可能である。
【符号の説明】
【０１３９】
１、３１、４１、５１、６０  カメラ（撮影装置）
２  本体部（撮影装置本体）
３、６３  撮影レンズ部（撮影部）
４、４４  放電光源部
４ａ  キセノン管
５、５Ａ、５Ｂ、５Ｃ、５Ｄ、５Ｅ、５Ｆ、４５Ａ、４５Ｂ、４５Ｃ、４５Ｄ、５５Ｒ、５５Ｌ、６２Ｒ、６２Ｍ、６２Ｌ  ＬＥＤ光源部
５ａ、２５ａ、３５ａ  発光素子部
７  液晶モニタ（発光設定表示部）
８  操作部
１０ｂ  青色ＬＥＤ（ＬＥＤ）
１０ｇ  緑色ＬＥＤ（ＬＥＤ）
１０ｒ  赤色ＬＥＤ（ＬＥＤ）
１１  撮像素子（撮影部）
１２、６２  レンズ駆動部
１３、６５  制御部
１４  画像取得部
１５  画像処理部（被写体情報取得部）
１６、６６  ＡＦ制御部（被写体情報取得部）
１７  発光制御部（発光制御パラメータ生成部）
１９Ａ、１９Ｂ、１９Ｃ、１９Ｄ、１９Ｅ、１９Ｆ、１９Ｒ、１９Ｍ、１９Ｌ  ＬＥＤドライバ
２１  ＡＥ制御部
３０ａ、３０ｂ、３０ｃ  白色ＬＥＤ（ＬＥＤ）
３２  青色ＬＥＤチップ
３７Ａ、３７Ｂ  蛍光材料
６１  カメラ本体（撮影装置本体）
６１ｃ  ホットシュー
６２  ストロボユニット
６２ｂ  接続部
６７  ＡＦセンサ（被写体情報取得部）
ｄ  撮影距離
Ｌ４  照明光（第１の照明光）
Ｌ５、Ｌ５Ｒ、Ｌ５Ｌ  照明光（第２の照明光）
Ｏ３、Ｏ６３  撮影光軸
Ｏ４、Ｏ５Ｒ、Ｏ５Ｌ、Ｏ４４、Ｏ４５Ａ、Ｏ４５Ｂ、Ｏ４５Ｃ、Ｏ４５Ｄ、Ｏ５５Ｒ、Ｏ５５Ｌ、Ｏ６２Ｍ、Ｏ６２Ｒ、Ｏ６２Ｌ  照射光軸
Ｓ  被写体
【図１】
2014219602.tif 000006
【図２】
2014219602.tif 000007
【図３】
2014219602.tif 000008
【図４】
2014219602.tif 000009
【図５】
2014219602.tif 000010
【図６】
2014219602.tif 000011
【図７】
2014219602.tif 000012
【図８】
2014219602.tif 000013
【図９】
2014219602.tif 000014
【図１０】
2014219602.tif 000015
【図１１】
2014219602.tif 000016
【図１２】
2014219602.tif 000017
【図１３】
2014219602.tif 000018
【図１４】
2014219602.tif 000019
【図１５】
2014219602.tif 000020
【図１６】
2014219602.tif 000021
【図１７】
2014219602.tif 000022
【図１８】
2014219602.tif 000023
【図１９】
2014219602.tif 000024
【図２０】
2014219602.tif 000025